(57)【特許請求の範囲】
【請求項１】
パネルを窓枠又は障子框に固定するための押縁がそのパネルの屋外側に装着されるサッシ窓において、
前記押縁は一端部の屋内側と屋外側に離間した位置に、窓枠及び／又は障子に形成された溝に嵌合して係止される一対の係止縁が設けられ、
屋外側の係止縁には、前記溝を形成する屋外側壁の屋外面に当接される変形防止縁が一体に設けられ、
前記変形防止縁の先端部に、先端に向かって薄くなるように前記溝を形成する屋外側壁の屋外面側に傾斜するテーパーが形成されていることを特徴とするサッシ窓。
【請求項２】
サッシ窓が嵌め殺し窓である場合に適用される押縁の変形防止縁は、その先端が窓枠の上、下枠及び／又は縦枠の内周面に当接されていることを特徴とする請求項１記載のサッシ窓。
【発明の詳細な説明】
【技術分野】
【０００１】
本発明は、ガラス板又はプラスチック板等のパネルを窓枠又は障子框に固定するための押縁がそのパネルの屋外側に装着されるサッシ窓の防犯機構に関する。
【背景技術】
【０００２】
パネルを窓枠又は障子框に固定するための押縁がそのパネルの屋外側に装着されるサッシ窓は、例えば、特許文献１に開示されている。
図７は、この文献に記載されているサッシ窓の要部を示す横断面図である。図７に示すように、窓枠１’の左右の縦枠１３’，１４’の間に設けられた方立１５’を境として、右側にパネルｇ１が固定された嵌め殺し部１６ａが設けられ、左側にガラス障子１７が縦すべり出し式に開閉自在に取り付けられた開閉部１６ｂが設けられた窓であり、嵌め殺し部１６ａにおけるパネルｇ１は、その屋内側が窓枠（上枠、下枠１２’、縦枠１４’及び方立１５’）に一体に形成された凸壁１２１’、１４１’、１５１’に固定され、屋外側が窓枠の屋外側部分に形成された溝に嵌着された押縁６ａ´により固定されている。また、障子１７のパネルｇ２は、その屋内側が障子の框１７１に一体に形成された凸壁１７２により固定され、屋外側がその框に嵌着された押縁６ｂ´により固定されている。
【特許文献１】特開２００２−１３８７５６号公報  図１及び図２
【発明の開示】
【発明が解決しようとする課題】
【０００３】
しかしながら、上記従来のサッシ窓において用いられている押縁は、図７の部分拡大図に示すように、中空部６１の一端側に形成された一対の係止縁６２，６３を、窓枠の対向する部材（縦枠と方立及び上枠と下枠；障子の上下及び左右の框）に対向して開口するように形成されたあり溝（図７においては１７３）に嵌合し、一方の係止縁６３を溝１７３の口縁に形成してある係止縁に係合させて取り付けられている。
【０００４】
従って、図７の部分拡大図に矢印で示すように、押縁６ｂ´の屋外側部分をドライバーその他の工具で矢印Ａ１で示す屋内方向に強く押すと、押縁６ｂ´が変形する。押す場所を押縁の他の位置に順次移動することにより、一対の係止縁６２，６３間の距離が狭くなり、その押縁６ｂ´を矢印Ａ２で示す溝１７３から離間する方向に移動すると、押縁６ｂ´が抜脱され、パネルｇ２が取り外し可能になる。はめ殺し部のパネルｇ１も同じ要領で取り外し可能である。従って、押縁が屋外側に装着される従来のサッシ窓は、防犯性が十分とは言えなかった。
【０００５】
本発明は、上記の点に鑑みなされたものであり、その課題は、押縁の不正な取り外しが不可能になるようにしたサッシ窓を提供することにある。
【課題を解決するための手段】
【０００６】
上記課題を解決するため、本発明は、パネルを窓枠又は障子框に固定するための押縁がそのパネルの屋外側に装着されるサッシ窓において、前記押縁は一端部の屋内側と屋外側に離間した位置に、窓枠及び／又は障子に形成された溝に嵌合して係止される一対の係止縁が設けられ、屋外側の係止縁には、前記溝を形成する屋外側壁の屋外面に当接される変形防止縁が一体に設けられ、前記変形防止縁の先端部に、先端に向かって薄くなるように前記溝を形成する屋外側壁の屋外面側に傾斜するテーパーが形成されていることを特徴としている（請求項１）。
【０００７】
サッシ窓が嵌め殺し窓である場合に適用される押縁の変形防止縁は、その先端が窓枠の上、下枠及び／又は縦枠の内周面に当接されていることが望ましい（請求項２）。
【発明の効果】
【０００８】
請求項１の発明によれば、押縁は、窓枠又は障子のあり溝に嵌合して係止される一対の係止縁のほかに、屋外側の係止縁の屋外側に、前記あり溝を形成する屋外側壁の屋外面に当接する変形防止縁を有するので、押縁が屋外側から押されても屋内方向屈曲を防止される。従って、一対の係止縁をあり溝から抜脱することが不可能であるから、押縁自体を取り外すことができない。従って、パネルの取り外しは確実に防止できるので、防犯性が非常に高くなる。また、変形防止縁の先端部に、先端に向かって薄くなるように前記溝を形成する屋外側壁の屋外面側に傾斜するテーパーが形成されているため、ドライバーなどの工具の先端を変形防止縁と窓枠又は障子框の溝を形成する屋外側壁との間に差し込むことが困難になる。従って、防犯性がさらに向上する。
【０００９】
請求項２の発明によれば、嵌め殺し窓の変形防止縁の先端が上、下枠及び／又は縦枠の内周面に当接しているので、ドライバーなどの工具の先端を変形防止縁と上、下枠及び／又は縦枠との間に差し込むことが一層困難になる。
【発明を実施するための最良の形態】
【００１０】
続いて、本発明の実施の形態について図面に基づいて説明する。
図１及び図２は、本発明を嵌め殺し窓に適用した場合の一例の図面であり、図１は縦断面図、図２は同じく横断面図、図３は図２の楕円Ｃ１部分の拡大図である。
【００１１】
図１及び図２は、窓枠が屋外側に配置される金属枠１と屋内側に配置される樹脂枠２とを連結してなる断熱サッシの嵌め殺し窓に本発明を適用した例を示すものである。金属枠１は、上枠１１，下枠１２，及び左右の縦枠１３，１４を周知の技術により方形状に結合してなっており、各枠の取付縁１１１，１２１，１３１，１４１を、窓開口部３を形成する建物駆体、例えば外壁４の屋外側面に木ねじ又は釘など５ａにより固着して、取り付けてある。
【００１２】
また、樹脂枠２は、上枠２１，下枠２２，及び左右の縦枠２３，２４を周知の技術により方形状に結合してなっており、各枠の外周面を窓開口部３に嵌合してその窓開口部の内周面に当接し、各枠の内周面に形成した孔から木ねじ５ｂを建物駆体にねじ込んで、取り付けてある。
なお、金属枠１と樹脂枠２は、それらの上枠及び左右の縦枠において、金属枠から屋内方向に延出する連結縁１１２，１２２，１３２．１４２の内周面に樹脂枠の外周面を重ね合わせ、外周側からねじ５ｃをねじ込んで連結されている。
【００１３】
樹脂枠２の各枠２１，２２，２３，２４には、その屋外側端部に窓開口部３の中心方向に突出する凸壁２１１，２２１，２３１，２４１が一体に形成され、各凸壁の屋外面に設けられた溝２１２，２２２，２３２，２４２にパネルｇ１を屋内側から支持するための弾性部材ｂ１が嵌着されている。金属枠１の屋内側部分には、樹脂枠２の各凸壁２１１，２２１，２３１，２４１の屋外側面に沿って延びる補強縁１１３、１２３、１３３、１４３が形成されていて、各補強縁の先端を溝２１２，２２２，２３２，２４２を形成する窓枠外周側の部材に一体に形成された係止縁２１３，２２３，２３３，２４３に嵌合されて、外周側のねじ５ｃと内周側の係止縁２１３，２２３，２３３，２４３とで、金属枠１と樹脂枠２が堅牢に結合されている。
【００１４】
また、金属枠１の各枠（上枠１１、下枠１２、縦枠１３、１４）の内周面の補強縁１１３、１２３、１３３、１４３から屋外方向にパネル（図示の例は複層ガラス）ｇ１の厚み相当の距離を隔てた位置に、あり溝１１４，１２４，１３４，１４４が形成され、これらのあり溝は方形状に連続している。各あり溝は、これに押縁６Ａ，６Ｂを嵌着することができるように構成されている。
【００１５】
図１の押縁６Ａは、金属枠の上枠１１と下枠１２のあり溝１１４，１２４に嵌着されるものであり、所要の強度を備えるため一端部に中空部６１を有し、その中空部の一側面の屋内外方向に隔てた位置からほぼ平行に延び、先端にテーパーと爪を有して前記金属枠の内周面の各溝１１４，１２４に嵌着される一対の係止縁６２、６３を有している。さらに、各押縁の屋内側面には溝６４が形成してあり、その溝６４にパネルｇ１を屋外側から支持するための弾性部材ｂ２が嵌着されている。
【００１６】
図２の押縁６Ｂは、左右の縦枠１３，１４のあり溝１３４，１４４に嵌着されるものであり、押縁６Ａとほぼ同一の形状構造を有するが、異なる点は、図２の楕円Ｃ１部の拡大図である図３に基づいて説明すると、一対の係止縁６２，６３のうち屋外側の係止縁６２に、溝１３４を構成する屋外側壁１３４ａの屋外面に当接する変形防止縁６５が一体に設けられ、その変形防止縁の先端部に、先端に向かって薄くなるように屋外側壁１３４ａの屋外面側に傾斜するテーパーが形成されていることである。
【００１７】
押縁６Ａ、６Ｂは、樹脂枠２の凸壁２１１，２２１，２３１，２４１及び金属枠１の補強縁１１３、１２３、１３３、１４３と、金属枠の内周面の前記補強縁からあり溝１１４，１２４，１３４，１４４までの間の部分に構成されているガラス嵌合部にパネル（図示の例は復層ガラス）ｇ１を周知の方法により嵌合した後に、各溝１１４，１２４，１３４，１４４に嵌着されて、そのパネルｇ１を固定する。押縁６Ａ、６Ｂが嵌着された状態で、パネルｇ１はその屋内側面が屋内側の弾性部材ｂ１により、屋外側面が屋外側の弾性部材ｂ２により保持される。
【００１８】
上述のように、左右の縦枠１３，１４に嵌着される押縁６Ｂは、上記変形防止縁６５が設けられていることにより、図３に示すように、押縁６Ｂの一対の係止縁６２、６３の先端を金属枠のあり溝１３４の中に押し込むと、その係止縁の弾性復元力により係止縁６２、６３の先端の爪があり溝１３４の開口縁に係合して、容易に抜脱できないように嵌合されるとともに、変形防止縁６５があり溝１３４を構成する屋外側壁１３４ａの屋外面に当接する。従って、押縁６Ｂの縦枠１３に対する嵌着部は、押縁６Ｂの屋外側の係止縁６２と、あり溝１３４の屋外側壁１３４ａと、変形防止縁６５が雄雌嵌合して３重に重なる。従って、その嵌着部は大きな耐屈曲性を備えるので、その押縁６Ｂの屋外側面を屋内方向に強く押しても、押縁の屋外側の係止縁６２及び変形防止縁６５が屈曲されることが防止される。縦枠１４側の押縁６Ｂも同様の屈曲防止効果を有する。従って、左右いずれの押縁６Ｂも、これを窓枠から取り外すことが不可能であるから、パネルｇ１を窓枠から取り外すこともできない。すなわち、窓の防犯性が向上する。
【００１９】
嵌め殺し部の屋外側に押縁を嵌着するためのあり溝を構成する屋外側壁は、金属枠の屋外側部分の内周面に窓開口部の中心方向に突設される。従って、その屋外側壁の屋外面に当接される変形防止縁の先端は、その金属枠の屋外側部分の内周面に近接する。
その場合に、変形防止縁の先端と金属枠の内周面との間が少しでも離れていると、その隙間に工具を挿入して、変形防止縁が屋外方向に折り曲げられる虞がある。また、変形防止縁６５の先端が変形防止縁の延長方向に対して直角に切断されているときは、その変形防止縁６５の先端にマイナスドライバー等の工具の先端を引っ掛けて変形防止縁６５を屋外方向に折り曲げられる虞がある。折り曲げに成功した後は、押縁の屋外側面を従来と同様に屋内方向に強く押すことにより内外一対の係止縁の距離を狭めて、押縁をあり溝から引き出して抜脱することが可能になる。従って、このような変形防止縁の屋外方向折り曲げを完全に防止するためには、図３に示すように、変形防止縁６５の先端を先端に向かって薄くなるようにテーパー６５´を形成することが良い。このようにすれば、変形防止縁６５の先端に工具を引っ掛けて折り曲げることが不可能か非常に困難になるので、防犯性が向上する。さらに、変形防止縁の先端を金属枠の内周面に当接させることが良い。これにより、工具の差し込みを阻止することができるので、防犯性が一層向上する。
【００２０】
上記実施例においては、変形防止縁６５が左右の縦枠１３，１４に嵌着される押縁６Ｂのみに設けられたが、縦枠１３，１４には変形防止縁６５を設けず、上、下枠１１，１２に嵌着される押縁６Ａに同様の変形防止縁を設けても良い。さらに、縦枠と上、下枠に装着される上下左右の押縁に変形防止縁６５を設けても良い。このようにした場合は、矩形状に連続する全ての押縁が抜脱されにくくなるので、防犯性がさらに向上する。
【００２１】
図４及び図５は、本発明を開閉窓に適用した場合の図面であり、図４は縦断面図、図５は横断面図、図６は図５の楕円Ｃ２部分の拡大図である。図１及び図２と同一の部材には同一符号が付してある。図示の開閉窓は、金属枠１の中にガラス障子７が縦すべり出し式に開閉自在に取り付けられた例であるが、ガラス障子の開閉形式は任意である。
【００２２】
金属枠１及び樹脂枠２は、図１及び図２に示された物と同じである。ガラス障子７は、屋外側の矩形状の金属框７１と屋内側の矩形状の樹脂框７２とを既知の技術により結合してなり、樹脂框の内周側に突設された凸壁７２１，７２２，７２３，７２４の屋外側面に形成してある溝に屋外方向に突出する弾性部材ｂ１が嵌着されている。また、金属框７１の屋外側部分の内周側にあり溝７１１，７２１，７３１，７４１が形成されていて、上下左右の金属框において、凸壁７２１，７２２，７２３，７２４とあり溝７１１，７２１，７３１，７４１の間に復層ガラスからなるパネルｇ２を嵌合するためのガラス嵌合部が矩形状に連続するように形成されている。
【００２３】
そして、そのガラス嵌合部に周知の方法によりパネルｇ２を嵌合した後、各あり溝７１１，７２１，７３１，７４１に、先の実施例における押縁６Ｂと同一又は同様の押縁６Ｂ’が嵌着されている。
【００２４】
この押縁６Ｂ’を図６に基づいて説明すると、中空部６１から同一側に延びる一対の係止縁６２、６３と、中空部６１の屋内側面から屋内方向に開口する溝６４を有し、その溝に屋内方向に突出する弾性部材ｂ２が嵌着されている。この押縁６Ｂ’は、一対の係止縁６２、６３を金属框７１のあり溝７１１，７２１，７３１，７４１に嵌合することにより、各係止縁６２、６３の先端のテーパー付き爪を各あり溝の開口縁に係合して、容易に抜脱しないように嵌着される。そして、押縁６Ｂ’が嵌着されたときは、パネルｇ２は屋内側の弾性部材ｂ１と屋外側の弾性部材ｂ２により保持される。
【００２５】
また、押縁６Ｂ’の屋外側の係止縁６２にも、変形防止縁６５が形成されている。この変形防止縁６５は、押縁６Ｂ’が嵌着されたときは、あり溝７３１を形成する屋外側壁７３１ａの屋外面に当接する。従って、押縁６Ｂ’の金属框に対する嵌着部は、押縁６Ｂ’の屋外側の係止縁６２と、あり溝７３１の屋外側壁７３１ａと、変形防止縁６５が雄雌嵌合して３重に重なるので、金属枠１に変形防止縁６５付き押縁６Ｂが嵌着された場合と同様に、金属框に嵌着された押縁６Ｂ’の屋外側部分を屋内方向に強く押し付けても、係止縁６２の屈曲が有効に防止される。従って、押縁が屋外側に装着される開閉窓においても、その押縁が不正に抜脱され、パネルｇ２が取り外されることが有効に防止される。
【００２６】
図４，５に示された実施例においては、障子の金属框の屋外側面が平滑である。そのため、変形防止縁６５の先端が変形防止縁の延長方向に対して直角に切断されているときは、その変形防止縁６５の先端にマイナスドライバー等の工具の先端を引っ掛けて変形防止縁６５を屋外方向に折り曲げられる虞がある。その対策として、図６に例示されているように、変形防止縁６５の先端部に、先端に向かって薄くなるように溝７３１を形成する屋外側壁の屋外面７３１ａ側に傾斜するテーパー６５´を形成してある。このようにすれば、変形防止縁６５の先端に工具を引っ掛けて折り曲げることが不可能か非常に困難になるので、防犯性が向上する。
【００２７】
本発明は、先の実施例のように全部が嵌め殺し部である窓、後の実施例のように全部が開閉部である窓のほか、図７に示されたような嵌め殺し部と開閉部とを有する窓にも適用できることは多言を要しない。また、窓を構成する部材の材質が、金属又は樹脂のいずれの場合にも適用できることは言うまでもない。
【図面の簡単な説明】
【００２８】
【図１】本発明を嵌め殺し窓に適用した場合の一例の縦断面図。
【図２】同じく横断面図。
【図３】図２の楕円Ｃ１部分の拡大図。
【図４】本発明を開閉窓に適用した場合の一例の縦断面図。
【図５】同じく横断面図。
【図６】図５の楕円Ｃ２部分の拡大図。
【図７】押縁を屋外側に装着した従来のサッシ窓の横断面図。
【符号の説明】
【００２９】
１，２      断熱サッシ
１          金属枠
２          樹脂枠
１３４，１４４，７３１，７４１    あり溝
１３４ａ，７３１ａ    屋外側壁
６Ａ，６Ｂ，６Ｂ´  押縁
６１                中空部
６２，６３          係止縁
６４                溝
６５                変形防止縁
６５´              テーパー
【図１】
0004765102.tif 000002
【図２】
0004765102.tif 000003
【図３】
0004765102.tif 000004
【図４】
0004765102.tif 000005
【図５】
0004765102.tif 000006
【図６】
0004765102.tif 000007
【図７】
0004765102.tif 000008